(57)【要約】【課題】  単一の検査装置によって光・電気複合ケーブルの光及び電気の導通の検査ができ、検査用ハーネスを介在させる必要性をなくし、検査時間を短縮し、予備検査の必要性をなくした光・電気複合ケーブルの接続チェッカ、及びその接続検査方法を提供する。【解決手段】  光出力部１ａの発光素子３から検査用の光信号を光・電気複合ケーブル１５の光ファイバへ出力し、光ファイバを伝搬した光信号を光入力部１ｃの受光素子９で受光する。演算回路１２はモニタ用受光素子４の受光量と受光素子９の受光量を比較して光ファイバの導通を検査する。一方、電気信号出力部１ｂの電気信号発生回路８から検査用の電気信号を光・電気複合ケーブル１５の電線へ出力し、電線を通過した電気信号を電気信号入力部１ｄの電気信号検知回路１０で検知して電線の導通を検査する。【選択図】        図１
2005326223.tif 000002
【特許請求の範囲】
【請求項１】
複数の光ファイバと複数の電線を撚り合わせたケーブル線心を有し、両端に光・電気複合コネクタを有した光・電気複合ケーブルに入力する光信号と電気信号を出力する出力部と、
前記光・電気複合ケーブルから出力される前記光信号と前記電気信号を入力する入力部と、
前記出力部が出力する前記光信号と、前記入力部が入力する前記光信号のレベル差を演算する演算部と、
前記演算部の出力に応じて所定の表示を行う表示部とを備え、
前記出力部は、前記光・電気複合ケーブルの一端の前記光・電気複合コネクタに接続される光・電気複合コネクタと、前記光信号を出力する光信号出力部と、前記電気信号を出力する電気信号出力部とを有し、
前記入力部は、前記光・電気複合ケーブルの他端の前記光・電気複合コネクタに接続される光・電気複合コネクタと、前記光信号を入力する光信号入力部と、前記電気信号を入力する電気信号入力部とを有し、
前記表示部は、前記レベル差に応じて前記複数の光ファイバの接続の検査結果と、前記電気信号入力部に入力する前記電気信号のレベルに応じて前記複数の電線の接続の検査結果とを表示することを特徴とする光・電気複合ケーブルの接続チェッカ。
【請求項２】
前記光信号出力部は、前記光信号を発生する発光素子と、前記発光素子の前記光信号を受光してモニタ電流を出力する受光素子と、前記受光素子の前記モニタ電流のバラツキをキャンセルするモニタ電流変換効率キャンセル回路と、  前記モニタ電流変換効率キャンセル回路の出力をＡ／Ｄ変換して前記演算回路に出力するＡ／Ｄ変換回路と、前記モニタ電流変換効率キャンセル回路の出力を入力して前記発光素子に駆動信号を出力するＬＤドライバを有し、
前記光信号入力部は、前記光信号を受光してモニタ電流を出力する受光素子と、前記受光素子の前記モニタ電流のバラツキをキャンセルするモニタ電流変換効率キャンセル回路と、前記モニタ電流変換効率キャンセル回路の出力をＡ／Ｄ変換して前記演算回路に出力するＡ／Ｄ変換回路を有することを特徴とする請求項１記載の光・電気複合ケーブルの接続チェッカ。
【請求項３】
前記出力部の前記光・電気複合コネクタ及び前記入力部の前記光・電気複合コネクタは、共通の単一の光・電気複合コネクタとして構成されていることを特徴とする請求項１記載の光・電気複合ケーブルの接続チェッカ。
【請求項４】
前記出力部の前記光・電気複合コネクタは、前記出力部側に第１の光コネクタと第１の電気コネクタを有し、
前記光信号出力部は、前記第１の光コネクタと接続される第２の光コネクタを有し、
前記入力部の前記光・電気複合コネクタは、前記入力部側に第３の光コネクタと第３の電気コネクタを有し、
前記光信号入力部は、前記第３の光コネクタと接続される第４の光コネクタを有し、
前記電気信号入力部は、前記第３の電気コネクタと接続される第４の電気コネクタを有することを特徴とする請求項１記載の光・電気複合ケーブルの接続チェッカ。
【請求項５】
前記演算回路は、前記光信号出力部の前記Ａ／Ｄ変換回路から入力したＡ／Ｄ変換信号に基づいて演算した演算信号を前記ＬＤドライバに出力する構成を有し、
前記ＬＤドライバは、前記演算信号に基づいて前記発光素子を駆動して発光量モニタ通知信号を出力させる構成を有することを特徴とする請求項１記載の光・電気複合ケーブルの接続チェッカ。
【請求項６】
前記光信号出力部及び前記電気信号出力部は、それぞれ、並列に配置された複数の光信号出力部及び電気信号出力部を有することを特徴とする請求項１記載の光・電気複合ケーブルの接続チェッカ。
【請求項７】
前記演算回路は、前記演算信号を出力する第１の演算回路と、前記光信号と前記発光量モニタ通知信号を入力した前記光信号入力部の各出力に基づいて光・電気複合ケーブルの光ファイバの導通判定を行う第２の演算回路を有することを特徴とする請求項５記載の光・電気複合ケーブルの接続チェッカ。
【請求項８】
光信号と電気信号を発生する光・電気信号発生段階と、
前記光信号と前記電気信号を光・電気複合コネクタを介して光・電気複合ケーブルの一端へ出力する光・電気信号出力段階と、
前記光・電気複合ケーブルを伝搬した前記光信号と前記電気信号を前記光・電気複合ケーブルの他端から、あるいは前記一端から光・電気複合コネクタを介して入力する光・電気信号入力段階と、
前記光・電気信号出力段階と前記光・電気信号入力段階の前記光信号のレベル差の演算結果、及び前記光・電気信号入力段階における前記電気信号の検知結果に基づいて前記光・電気複合ケーブルの接続検査を行う接続検査段階を有することを特徴とする光・電気複合ケーブルの接続検査方法。
【請求項９】
前記光・電気信号入力段階は、前記光・電気複合ケーブルの途中で折り返した前記光信号と前記電気信号を前記一端から共通の光・電気複合コネクタを介して入力する段階を有することを特徴とする請求項８記載の光・電気複合ケーブルの接続検査方法。
【請求項１０】
前記光・電気信号出力段階は、前記光信号と前記電気信号を出力する出力部と、前記光信号と前記電気信号を入力する入力部を備えた第１の接続チェッカを準備する段階と、前記第１の接続チェッカの前記出力部を前記光・電気複合ケーブルの前記一端に接続する段階を有し、
前記光・電気信号入力段階は、前記光信号と前記電気信号を出力する出力部と、前記光信号と前記電気信号を入力する入力部を備えた第２の接続チェッカを準備する段階と、前記第２の接続チェッカの前記入力部を前記光・電気複合ケーブルの前記他端に接続する段階を有することを請求項８記載の光・電気複合ケーブルの接続検査方法。
【発明の詳細な説明】
【技術分野】
【０００１】
本発明は光・電気複合ケーブルの光ファイバ及び電線の導通確認を同時に行うことができ、接続検査時間を短縮することができる光・電気複合ケーブルの接続チェッカ、及びその接続検査方法に関する。
【背景技術】
【０００２】
図９（ａ）,（ｂ）,（ｃ），及び図１０（ａ）,（ｂ）は、従来の光・電気複合ケーブルの接続チェッカ、及びその接続検査方法を示し、光ファイバテスタによる光の導通確認と、電気導通チェッカによる電気の導通確認を分けて行っている。
【０００３】
図９（ａ）は、光の導通確認を行う従来の光ファイバテスタ３８を示し、光信号を発生するレーザダイオード等の発光素子３１と、発光素子３１を駆動するＬＤドライバ３２と、各部に電源を供給する電源回路３３と、光信号を受光するホトダイオード等の受光素子３４と、受光素子３４の出力信号をＡ／Ｄ変換するＡ／Ｄ変換回路３５と、Ａ／Ｄ変換回路３５の出力に基づいて所定の演算を行う演算回路３６と、演算回路３６の演算に基づく表示を行う表示回路３７を有し、これらを収容するハウジング（図示せず）の一端に単心光コネクタ３８ａ，３８ｂを有する。
【０００４】
図９（ｂ）,（ｃ）は、図９（ａ）の従来の光ファイバテスタ３８を使用した光の導通検査方法を示す。
【０００５】
図９（ｂ）において、一端に光・電気複合コネクタ４０Ａ，４０Ｂを有し、他端に単心光コネクタ３９ａ，単心電気コネクタ３９ｂを有した検査用ハーネス４１Ａ，４１Ｂを準備し、これらの検査用ハーネス４１Ａ，４１Ｂの光・電気複合コネクタ４０Ａ，４０Ｂを相互に接続し、それぞれの単心光コネクタ３９ａを光ファイバテスタ３８の単心光コネクタ３８ａ，３８ｂに接続する。
【０００６】
この状態において、発光素子３１をＬＤドライバ３２によって駆動することにより発光素子３１から光信号（連続光）を出力し、検査用ハーネス４１Ａ，４１Ｂを介して受光素子３４で受光する。光信号を受光した受光素子３４の出力は、Ａ／Ｄ変換回路３５においてデジタル値に変換され、その値が演算回路３６のメモリ（図示せず）内にストアされる。このメモリにストアされる値をＰ0とする。
【０００７】
次に、図９（ｃ）において、検査対象の光・電気複合ケーブル１５の光・電気複合コネクタ１５Ａ，１５Ｂを検査用ハーネス４１Ａ，４１Ｂの光・電気複合コネクタ４０Ａ，４０Ｂに接続する。
【０００８】
この状態において、発光素子３１から光信号を出力し、検査用ハーネス４１Ａ，光・電気複合ケーブル１５，及び検査用ハーネス４１Ｂを介して受光素子３４で受光する。受光素子３４の出力は、Ａ／Ｄ変換回路３５においてデジタル値に変換され、その値が演算回路３６のメモリ内にストアされる。このメモリにストアされる値をＰ1とする。
【０００９】
演算回路３６は、光・電気複合ケーブル１５の損失Ｐを、以下の演算によって算出する。
Ｐ＝Ｐ1−Ｐ0（ｄＢ）
【００１０】
Ｐが所定の値より大きいと、光の導通が不良であり、Ｐが所定の値より小さいと、光の導通が良好であると判定され、その結果が表示回路３７によって表示される。
【００１１】
図１０（ａ）,（ｂ）は従来の電気導通チェッカ４５とそれを使用した電気の導通確認方法を示す。
【００１２】
図１０（ａ）において、従来の電気導通チェッカ４５は、ハウジング（図示せず）の一端に単心電気コネクタ４５ａ，４５ｂを有し、ハウジング中に電源回路４２と、導通を検知する検知回路４３と、検知回路４３の検知信号に基づいて発光ダイオードを点灯させ、あるいはブザーを作動させる表示回路４４を有する。
【００１３】
図１０（ｂ）において、図９（ｃ）と同じように、光・電気複合ケーブル１５を検査用ハーネス４１Ａと４１Ｂ間に接続し、電気導通チェッカ４５の単心電気コネクタ４５ａ，４５ｂに検査用ハーネス４１Ａ，４１Ｂの単心電気コネクタ３９ｂを接続する。
【００１４】
以上の構成において、電源回路４２が検査用ハーネス４１Ａ，４１Ｂを介して光・電気複合ケーブル１５に電圧を印加すると、光・電気複合ケーブルの電線に電流が流れ、それが検知回路４３によって検知される。この検知結果によって電気の導通が確認され、それが表示回路４４に表示される。
【００１５】
光・電気複合ケーブル１５が複数の光ファイバ及び電線を有するときは、以上の操作を心線数だけ繰り返すことにより導通検査を終了することができる。
【００１６】
図１１は、従来の光ファイバの接続検査装置であるＯＴＤＲ（Ｏｐｔｉｃａｌ  Ｔｉｍｅ  Ｄｏｍａｉｎ  Ｒｅｆｌｅｃｔｍｅｔｅｒ）を示し、光信号を出力するＬＤ光源４９と、光信号を光ファイバ５４の端末部５４ａに結合させ、光ファイバ５４の後方散乱光を検出器５３へ入力させる光方向性結合器５０と、検出器５３で検出した後方散乱光を増幅する増幅器５２と、増幅器５２で増幅された後方散乱光を処理して光ファイバ５４の欠陥の有無を検出する信号処理装置５１を有する。ここで、光信号は光パルスとする。
【００１７】
以上の構成において、光ファイバ５４の各位置において後方散乱する後方散乱光は、光ファイバ５４の材料に固有のレーリ散乱光、接続部及び破断点からのフレネル反射光等を含み、これらの散乱光、反射光等を検出器５３で検出し、その検出結果を信号処理装置５１で処理することによって光ファイバ５４の導通検査を行う。
【００１８】
図１２は、従来の光テスタを示し、光制御装置などの投光用光ファイバ５１に対向して配置される受光素子５３Ａを有する光電変換回路５３と、この光電変換回路５３に増幅回路５４を介して接続されたＡ／Ｄ変換回路５５と、このＡ／Ｄ変換回路５５に接続された、例えばＣＰＵからなる制御回路５６と、この制御回路５６に接続された表示回路６５，発振回路６３および外部操作回路６４と、光電変換回路５３および発振回路６３に接続されたタイミング発生回路５７と、このタイミング発生回路５７とＡ／Ｄ変換回路５５との間に接続された遅延回路５８と、制御回路５６に接続された発光レベル設定回路６２と、この発光レベル設定回路６２と制御回路５６とに接続された発光制御回路６１と、この発光制御回路６１，タイミング発生回路５７および発振回路６３に接続され、前記光制御装置などの受光用光ファイバ５２に対向して配置される発光素子５９Ａを有する発光回路５９と、電源電圧Ｖを受電し、制御電圧Ｖ１およびＶ２を出力する電源回路６６とからなり、この電源回路６６の制御電圧Ｖ２は増幅回路５４，Ａ／Ｄ変換回路５５，遅延回路５８に印加され、制御電圧Ｖ１はその他の回路に印加される。
【００１９】
この光テスタは種々の使用方法があり、光制御装置などの投光部からの光信号が出力される投光用光ファイバ５１と、光制御装置の受光部に光信号を入力する受光用光ファイバ５２との間にこの光テスタが接続される。
【００２０】
ここで、光制御装置などの投光部からの光信号が連続光の場合について説明する。この投光部からの連続光信号は投光用光ファイバ５１から投光され、受光素子５３Ａで受光されて光電変換回路５３からこの受光信号の強度に比例した電気信号が出力される。この出力信号は増幅回路５４で増幅され、Ａ／Ｄ変換回路５５でＡ／Ｄ変換されて制御回路５６に入力される。制御回路５６はこの信号をデータ処理して表示回路６５から受光信号の強度を表示する。同時に、増幅回路５４からの出力信号はタイミング発生回路５７に入力され、タイミング発生回路５７はこの信号の大きさが設定したしきい値を越えると「Ｈ1 」の信号を出力し、この出力信号「Ｈ1 」は発光回路５９に入力されて発光素子５９Ａから光制御装置などの受光部の受光用光ファイバ５２に連続光信号を投光する（特許文献１参照）。
【００２１】
図１３は、従来のマルチケーブルチェッカを示し、信号送出部７１、被測定対象のマルチケーブル７２，及び信号受信部７３を有し、マルチケーブル７２の各単線の接続状態の正常、断線、誤配線、及び短絡の有無を判別する。このケーブルチェッカは、送出側ＣＰＵ８１から送出された信号が第１のセレクタ８２によって送出端子部８３の１つの単線に入力し、受信端子部９１から第２のセレクタ９２を介して受信側ＣＰＵ９３へ出力される（特許文献２）。
【特許文献１】特開平６−１２９９０５号公報
【特許文献２】特開２０００−２４１４８０号公報
【発明の開示】
【発明が解決しようとする課題】
【００２２】
しかし、以上述べた光ファイバテスタ、電線導通チェッカ、ＯＴＤＲ、光テスタ、及びマルチケーブルチェッカによると、光の導通検査、あるいは電気の導通検査の専用に供されるものであるため、光・電気複合ケーブルの導通を検査するためには２種の検査装置を必要とした。
【００２３】
また、以上述べた各装置は、汎用性のある単心コネクタを有するものが多いため、光・電気複合ケーブルの光・電気複合コネクタは直接単心コネクタと接続することができず、コネクタ形状を変換する検査用ハーネスを介在させることが必要であった。
【００２４】
また、以上述べた光ファイバテスタ、光テスタ、電線導通チェッカによると、光・電気複合ケーブルは、複数の光ファイバ、複数の電線が撚り合わされている構造のものがあるため、検査用ハーネスの単心コネクタ側を検査装置に付け替えして光・電気複合ケーブルの心線数だけ一本ずつ検査しなければならず、さらに光・電気複合ケーブルが既に敷設されているときは、ケーブル端末が離れているため、両端末に検査装置を配置し、かつ、どの心線を検査するかを両端末間で連絡を取り合いながら検査することになり、検査時間がかかった。
【００２５】
また、以上述べた光ファイバテスタによると、検査前に出力側と入力側の検査用ハーネス同士をつないで検査対象を接続しないときの出力光量を測定する必要があった。また、この検査前の出力光量の測定は、発光素子の出力が温度、時間によって変化するため、まめに行わなければならず、検査時間がかかった。
【００２６】
従って、本発明の目的は、単一の検査装置によって光・電気複合ケーブルの光の導通及び電気の導通の検査ができる光・電気複合ケーブルの接続チェッカ、及びその接続検査方法を提供することにある。
【００２７】
本発明の他の目的は、コネクタ形状を変換する検査用ハーネスを介在させる必要のない光・電気複合ケーブルの接続チェッカ、及びその接続検査方法を提供することにある。
【００２８】
本発明の他の目的は、検査時間を短縮することができる光・電気複合ケーブルの接続チェッカ、及びその接続検査方法を提供することにある。
【００２９】
本発明の他の目的は、検査前に予備の検査を必要としない光・電気複合ケーブルの接続チェッカ、及びその接続検査方法を提供することにある。
【課題を解決するための手段】
【００３０】
本発明は、上記の目的を実現するため、複数の光ファイバと複数の電線を撚り合わせたケーブル線心を有し、両端に光・電気複合コネクタを有した光・電気複合ケーブルに入力する光信号と電気信号を出力する出力部と、
前記光・電気複合ケーブルから出力される前記光信号と前記電気信号を入力する入力部と、
前記出力部が出力する前記光信号と、前記入力部が入力する前記光信号のレベル差を演算する演算部と、
前記演算部の出力に応じて所定の表示を行う表示部とを備え、
前記出力部は、前記光・電気複合ケーブルの一端の前記光・電気複合コネクタに接続される光・電気複合コネクタと、前記光信号を出力する光信号出力部と、前記電気信号を出力する電気信号出力部とを有し、
前記入力部は、前記光・電気複合ケーブルの他端の前記光・電気複合コネクタと、前記光信号を入力する光信号入力部と、前記電気信号を入力する電気信号入力部とを有し、  
前記表示部は、前記レベル差に応じて前記複数の光ファイバの接続の検査結果と、前記電気信号入力部に入力する前記電気信号のレベルに応じて前記複数の電線の接続の検査結果とを表示することを特徴とする光・電気複合ケーブルの接続チェッカを提供する。
【００３１】
本発明において、前記光信号出力部は、前記光信号を発生する発光素子と、前記発光素子の前記光信号を受光してモニタ電流を出力する受光素子と、前記受光素子の前記モニタ電流のバラツキをキャンセルするモニタ電流変換効率キャンセル回路と、前記モニタ電流変換効率キャンセル回路の出力をＡ／Ｄ変換して前記演算回路に出力するＡ／Ｄ変換回路と、前記モニタ電流変換効率キャンセル回路の出力を入力して前記発光素子に駆動信号を出力するＬＤドライバを有し、
【００３２】
前記光信号入力部は、前記光信号を受光してモニタ電流を出力する受光素子と、前記受光素子の前記モニタ電流のバラツキをキャンセルするモニタ電流変換効率キャンセル回路と、前記モニタ電流変換効率キャンセル回路の出力をＡ／Ｄ変換して前記演算回路に出力するＡ／Ｄ変換回路を有することが好ましい。
【００３３】
本発明において、前記出力部の前記光・電気複合コネクタ及び前記入力部の前記光・電気複合コネクタは、共通の単一の光・電気複合コネクタとして構成されていることが好ましい。
【００３４】
本発明において、前記出力部の前記光・電気複合コネクタは、前記出力部側に第１の光コネクタと第１の電気コネクタを有し、
前記光信号出力部は、前記第１の光コネクタと接続される第２の光コネクタを有し、
前記入力部の前記光・電気複合コネクタは、前記入力部側に第３の光コネクタと第３の電気コネクタを有し、
前記光信号入力部は、前記第３の光コネクタと接続される第４の光コネクタを有し、
前記電気信号入力部は、前記第３の電気コネクタと接続される第４の電気コネクタを有することが好ましい。
【００３５】
本発明において、前記演算回路は、前記光信号出力部の前記Ａ／Ｄ変換回路から入力したＡ／Ｄ変換信号に基づいて演算した演算信号を前記ＬＤドライバに出力する構成を有し、
前記ＬＤドライバは、前記演算信号に基づいて前記発光素子を駆動して発光量モニタ通知信号を出力させる構成を有することが好ましい。
【００３６】
本発明において、前記光信号出力部及び前記電気信号出力部は、それぞれ、並列に配置された複数の光信号出力部及び電気信号出力部を有することが好ましい。
【００３７】
本発明において、前記演算回路は、前記演算信号を出力する第１の演算回路と、前記光信号と前記発光量モニタ通知信号を入力した前記光信号入力部の各出力に基づいて光・電気複合ケーブルの光ファイバの導通判定を行う第２の演算回路を有することが好ましい。
【００３８】
また、本発明は、上記の目的を実現するため、光信号と電気信号を発生する光・電気信号発生段階と、
【００３９】
前記光信号と前記電気信号を光・電気複合コネクタを介して光・電気複合ケーブルの一端へ出力する光・電気信号出力段階と、
【００４０】
前記光・電気複合ケーブルを伝搬した前記光信号と前記電気信号を前記光・電気複合ケーブルの他端から、あるいは前記一端から光・電気複合コネクタを介して入力する光・電気信号入力段階と、
【００４１】
前記光・電気信号出力段階と前記光・電気信号入力段階の前記光信号のレベル差の演算結果、及び前記光・電気信号入力段階における前記電気信号の検知結果に基づいて前記光・電気複合ケーブルの接続検査を行う接続検査段階を有することを特徴とする光・電気複合ケーブルの接続検査方法。
【００４２】
本発明において、前記光・電気信号入力段階は、前記光・電気複合ケーブルの途中で折り返した前記光信号と前記電気信号を前記一端から共通の光・電気複合コネクタを介して入力する段階を有することが好ましい。
【００４３】
本発明において、前記光・電気信号出力段階は、前記光信号と前記電気信号を出力する出力部と、前記光信号と前記電気信号を入力する入力部を備えた第１の接続チェッカを準備する段階と、前記第１の接続チェッカの前記出力部を前記光・電気複合ケーブルの前記一端に接続する段階を有し、
【００４４】
前記光・電気信号入力段階は、前記光信号と前記電気信号を出力する出力部と、前記光信号と前記電気信号を入力する入力部を備えた第２の接続チェッカを準備する段階と、前記第２の接続チェッカの前記入力部を前記光・電気複合ケーブルの前記他端に接続する段階を有することが好ましい。
【発明の効果】
【００４５】
本発明によると、以下の効果が得られる。
（１）単一の検査装置によって光及び電気の導通検査を行うことができる。
（２）検査時間を短縮することができる。
（３）光・電気複合ケーブルのコネクタの種類に依存しないで光及び電気の導通検査を行うことができる。
（４）光・電気複合ケーブルが既設のために両端末が離れていても時間をかけずに光及び電気の導通検査を行うことができる。
（５）光・電気複合ケーブルが多心ケーブルであってもコネクタの接続替えを行わずに光及び電気の導通検査を行うことができる。
（６）光及び電気の導通検査前の準備作業を減少し、準備時間を短縮することができる。
【発明を実施するための最良の形態】
【００４６】
図１は本発明の第１の実施の形態の光・電気複合ケーブルの接続チェッカを示し、出力部１４Ａと、入力部１４Ｂと、電源回路１１と、演算回路１２と、表示回路１３を有する。出力部１４Ａは光信号出力部１ａと、電気信号出力部１ｂを有し、入力部１４Ｂは光信号入力部１ｃと、電気信号入力部１ｄを有する。
【００４７】
光信号出力部１ａは、光信号を出力する発光素子３及びこの光信号をモニタするモニタ用受光素子４からなる光送信モジュール３４と、モニタ電流変換効率キャンセル回路５Ａと、ＬＤドライバ６と、Ａ／Ｄ変換回路７Ａとを有する。電気信号出力部１ｂは、電線検査の電気信号発生回路８を有する。各出力部１ａ,１ｂの光信号と電気信号は光・電気複合コネクタ１から光・電気複合ケーブル１５の一端に設けられた光・電気複合コネクタ１５ａを介して光・電気複合ケーブル１５へ出力される。
【００４８】
光信号出力部１ａのＡ／Ｄ変換回路７Ａはアナログ電気信号をデジタル電気信号に変換する回路であり、ＬＤドライバ６は電圧／電流変換して得られた駆動信号を発光素子３に供給する回路であり、モニタ電流変換効率キャンセル回路５Ａは受光素子４の光／電気変換のバラツキをキャンセルし、ある発光レベルに対してバラツキの無い一定の出力電圧を出力するキャンセル回路である。
【００４９】
光信号入力部１ｃは、光・電気複合ケーブル１５の他端の光・電気複合コネクタ１５ｂ及び入力部１４Ｂの光・電気複合コネクタ２を介して入力する光信号を受光する受光素子９と、モニタ電流変換効率キャンセル回路５Ｂと、Ａ／Ｄ変換回路７Ｂとを有する。また、電気信号入力部１ｄは、電線検査の電気信号検知回路１０を有する。
【００５０】
また、演算回路１２は、Ａ／Ｄ変換回路７Ａの出力信号と、Ａ／Ｄ変換回路７Ｂの出力信号から光損失量の演算を行うＦＰＦＡ／ＰＬＤにより構成され、表示回路１３は、演算回路１２の演算結果に基づく表示を行う。
【００５１】
ここで、検査物は放送用の光・電気複合ケーブル１５であり、高精細度テレビジョン方式スタジオ機器の相互接続規格ＢＴＡ  Ｓ−１００５Ｂにも規格化されているものが数種類あり、例えば、シングルモード光ファイバ２本、電源線４本、制御線２本とを集合撚り合わせしたものにシールド、及び外被を施したものがある。
【００５２】
光・電気複合コネクタ１，２，１５ａ，１５ｂとして、光、電気複合のＯＰＳ２４××シリーズ（多治見無線電機株式会社）、３Ｋ．９３Ｃシリーズ（ＬＥＭＯ社）等が使われる。光・電気複合ケーブル１５は、主に高精細度テレビジョン放送の中継に使用され、放送局のスタジオ、カメラ、屋外の中継点、中継車で広く使用されている。
【００５３】
次に、光ファイバの接続検査について説明を行う。
【００５４】
図１において、検査用の光信号は光送信モジュール３４より出力され、光・電気複合コネクタ１に送られる。光送信モジュール３４はモニタフォトダイオード（ＰＤ）４付きの出力波長１．３１μｍのレーザーダイオード（ＬＤ）を選択し、光・電気複合コネクタ１は光・電気複合ケーブル１５の光・電気複合コネクタ１５ａに接続可能なものが使用される。
【００５５】
モニタＰＤ付光送信モジュール３４は内部にＰＤ４が配置されており、発光素子３の発光量をモニタして電気信号を出力するものである。
【００５６】
光信号は光・電気複合コネクタ１，１５ａを介して光・電気複合ケーブル１５中の光ファイバ内を減衰しながら通過し、光・電気複合コネクタ１５ｂ，２を通過して受光素子９に入力する。
【００５７】
ここで、受光素子９は光受信モジュール３５としてモジュール化されたフォトダイオード（ＰＤ）であり、光信号を電気信号に変換するものである。
【００５８】
受光素子９に入力された光信号は、電気信号に変換されるが、一般にＰＤは出力電流にバラツキが発生するため、モニタ電流変換効率キャンセル回路５Ｂを通過されることによりバラツキの無い信号を出力でき、Ａ／Ｄ変換回路７Ｂを経てデジタル信号とされて演算回路１２に入力される。
【００５９】
発光素子３からの光信号は隣接するモニタ用受光素子４にも受光されて電気信号へ変換されるが、これも出力電流にバラツキが発生するため、モニタ電流変換効率キャンセル回路５Ｂを通過することによってバラツキの無い信号になり、Ａ／Ｄ変換回路７Ｂを経てデジタル信号に変換されて演算回路１２へ入力される。
【００６０】
演算回路１２へ入力された検査用受光信号とモニタ光は演算回路１２にて演算処理され、演算結果が光・電気複合ケーブル１５の損失量となって表示回路１３へ出力され、光強度がレベルゲージまたはデジタル数字にて表示される。
【００６１】
次に、電線の接続検査について説明を行う。電気信号出力部１ｂの電気信号発生回路８で発生された電気信号は光・電気複合コネクタ１，１５ａから光・電気複合ケーブル１５中の電線に入力される。光・電気複合ケーブル１５中の電線が導通していれば、光・電気複合コネクタ１５ｂ，２を経て電気信号入力部１ｄの電気信号検知回路１０へ入力される。電気信号検知回路１０は設定した電圧を超えると表示回路１３へ信号が入力するようになっており、ランプが点灯またはブザーが鳴る。
【００６２】
表示回路１３は、例えば、光の受光レベルがレベルゲージで、０〜５ｄＢまでは０．２５ｄＢ／１メモリ、５〜１０ｄＢまでは１ｄＢ／１メモリまたは数値にて表示される。表示回路１３は、例えば、電源線２本、制御線２本、シールド１本のそれぞれに対応して発光ランプを設け、導通していれば点灯するようにしている。
【００６３】
さらに、光・電気複合ケーブル１５の接続状態がひとめでわかるように、光ファイバの損失が３ｄＢ未満で電線の導通が問題なければ、“ＯＫ”，光ファイバが５ｄＢ以上の損失があったり、もしくは電線が断線しているような異常が１ヶ所でもあれば、“ＮＧ”、光の受信レベルが３〜５ｄＢと若干大きいときは、“ＣＡＵＴＩＯＮ”のランプが点灯するような機能も演算回路１２は備える。
【００６４】
図２及び図３は本発明の第２の実施の形態の光・電気複合ケーブルの接続チェッカを示し、図１と共通する部分には、共通の引用数字が付されている。
【００６５】
図２において、単一の光・電気複合コネクタ１に光信号出力部１ａ，電気信号出力部１ｂ，光信号入力部１ｃ，電気信号入力部１ｄが接続されている。
【００６６】
図３において、光・電気複合ケーブル１５の片側端末を図示しない光・電気複合コネクタを介して接続チェッカの光・電気複合コネクタ１に接続し、他端末を図示しない光・電気複合コネクタを介して折返しコネクタ２１に接続する。折返しコネクタ２１は、光・電気複合ケーブル１５の図示しない光・電気複合コネクタに嵌合可能なコネクタであって、光・電気複合ケーブル１５から折返しコネクタ２１の１つのポートヘ光または電気信号が入力されたとき、コネクタ２１内で光ファイバ、及び電線がループ配線されているため、別のポートから出力される構造のものであり、光・電気複合ケーブル１５から折返しコネクタ２１へ出力された光信号及び電気信号が折返して再び光・電気複合ケーブル１５に入力される。この実施の形態では、光・電気複合ケーブル１５は光ファイバが２心、電線が２心の構成を有する。
【００６７】
以上の構成において、光信号出力部１ａから出力された光信号は光・電気複合ケーブル１５中の光ファイバ１７ａから光ファイバ１７ｂに折返されて光入力部１ｂへ入力される。電気信号も同様に、電気出力部１ｃから出力された電気信号は、光・電気複合ケーブル１５中の電線１８ａを通過し、折返しコネクタ２１中の電線２０を通り、光・電気複合ケーブル１５中の電線１８ｂ中へ折返されて電気入力部１ｄへ入力される。
【００６８】
接続チェッカ内では、第１の実施の形態と同様にモニタ受光信号と検査用受光信号により光・電気複合ケーブル中の２心の光ファイバ１７ａ，１７ｂの損失量が演算され、また、電気信号の受信有無により光ファイバ１７ａ，１７ｂと電線１８ａ，１８ｂの導通が確認できる。
【００６９】
光・電気複合ケーブル１５中に光ファイバ及び電線が各偶数本づつ入っている場合は、ケーブル端末に折返しコネクタ２１を接続することにより出力信号が戻ってくるループの形成が可能になり、ケーブル端末が別々のはなれた場所に敷設されたケーブルの場合でも、折返しコネクタ２１を接続することによって短時間の導通検査が可能である。
【００７０】
図４は本発明の第３の実施の形態の光・電気複合ケーブルの接続チェッカを示し、図１と共通する部分には共通の引用数字が付されている。
【００７１】
図４において、光・電気複合コネクタ１と光送信モジュール３４，及び電気信号発生回路８との間、及び光・電気複合コネクタ２と光受信モジュール３５，及び電気信号検知回路１０との間をつなぐ光ファイバ、及び電線に着脱可能な光コネクタ２２ａ〜２２ｄ，及び電気コネクタ２３ａ〜２３ｄを設けて光・電気複合ハーネス２ａ，２ｂを構成した。これによって、光・電気複合ハーネス２ａ，２ｂが接続チェッカから脱着できるので、他の種類の光・電気複合コネクタ１，２が接続された光・電気複合ハーネス２ａ，２ｂに交換可能になる。
【００７２】
例えば、接続チェッカにＯＰＳ２４××シリーズ（多治見無線社製）の光・電気複合コネクタ１，及び２が装備されていても接続チェッカの光・電気複合ハーネス２ａ，２ｂを３Ｋ．９３Ｃシリーズ（ＬＥＭＯ社製）の光・電気複合コネクタ１，及び２を有するものに交換することによってＬＥＭＯ社製光・電気複合コネクタのついた光・電気複合ケーブルの導通検査が可能である。
【００７３】
図５及び図６は本発明の第４の実施の形態の光・電気複合ケーブルの接続チェッカを示し、図１と共通する部分には共通の引用数字が付されている。
【００７４】
図５は、第１の実施の形態の光・電気複合ケーブル用接続チェッカにおいて、ＬＤドライバ６と演算回路１２を信号線２６で接続した構成を示している。
【００７５】
以上の構成において、発光素子３からの光信号はモニタ用受光素子４に受信されて電気信号へ変換され、モニタ電流変換効率キャンセル回路５Ａ，Ａ／Ｄ変換回路７Ａを経てデジタル信号に変換され、演算回路１２へ入力される。演算回路１２は信号線２６を介してモニタ信号をＬＤドライバ６へ供給して、発光素子３を駆動し、発光量モニタ通知信号として検査用の光信号と同じように、光信号出力部１ａから出力される。
【００７６】
図６は、本発明の接続チェッカを２台使用した構成を示し、光・電気複合ケーブル１５の片端に一台目の接続チェッカ２４の出力部１４Ａの光・電気複合コネクタ１を接続し、入力部１４Ｂの光・電気複合コネクタ２は開放状態とする。光・電気複合ケーブル１５の他端に２台目の接続チェッカ２５の入力部１４Ｂの光・電気複合コネクタ２を接続し、出力部１４Ａの光・電気複合コネクタ１を開放状態とする。ここで、接続チェッカ２４の発光量モニタ通知信号が光信号と一緒に出力され、接続チェッカ２５に受信される。これによって、接続チェッカ２４の発光量モニタ通知信号と光・電気複合ケーブル１５を通過して減衰した光信号が演算回路１２で演算され入力部１４Ｂの光・電気複合コネクタ２に接続された接続チェッカ２５に検査結果が表示される。よって、既に光・電気複合ケーブル１５が敷設され、その端末が別々の離れた場所にある場合でも検査が可能である。
【００７７】
図７は本発明の第５の実施の形態の接続チェッカを示し、図１と共通する部分には、共通の引用数字が付されている。
【００７８】
第１の実施の形態の光・電気複合ケーブルの接続チェッカにおいて、出力部１４Ａは複数の光信号出力部１ａと電気信号出力部１ｂを有し、光・電気複合コネクタ１から複数の光及び電気の信号が出力される。また、入力部１４Ｂも複数の光信号入力部１ｃと電気信号入力部１ｄを有し、複数の光及び電気の信号が光・電気複合コネクタ２へ入力される。この構成により、光・電気複合コネクタ１，２は多心の光・電気複合ケーブルに接続されている光・電気複合コネクタと接続可能である。従って、多心の光・電気複合ケーブルをこの接続チェッカに接続するだけで多心の光・電気複合ケーブルの光ファイバ、電線の全導通状態が一括して検査可能になる。
【００７９】
図８は本発明の第６の実施の形態の接続チェッカを示し、図1と共通する部分には、共通の引用数字が付されている。
【００８０】
図８において、接続チェッカは、入力部１４Ａと出力部１４Ｂが切り離され、各々が演算回路１２Ａ、及び電源回路１１Ａを有する。しかし、表示回路１３は入力部１４Ｂのみに設けてある。出力装置の演算回路１２ＡはＡ／Ｄ変換回路７Ａ，ＬＤドライバ６に接続され、入力部１４Ｂの演算回路１２ＢはＡ／Ｄ変換回路７Ｂ、電気信号検知回路部１０に接続されている。
【００８１】
以上の構成において、発光素子３からの光信号はモニタ用受光素子４にも受信されて電気信号へ変換され、モニタ電流変換効率キャンセル回路５Ａ，Ａ／Ｄ変換回路７Ａを経てデジタル信号に変換され、演算回路１２Ａへ入力される。ここで、演算回路１２ＡからＬＤドライバ６へ発光素子３の発光量を入力部１４Ｂへ送るために発光量モニタ通知信号が出力され、光・電気複合ケーブル１５の他端に入力部１４Ｂを接続することによって光・電気複合ケーブル １５を通過した発光量モニタ通知信号と光信号が演算回路１２Ｂに入力し、そこで演算されて入力部１４Ｂの表示回路１３に検査結果が表示される。よって、既設の光・電気複合ケーブル１５の両端末が別々の離れた場所にある場合でも、短時間で検査が可能である。
【図面の簡単な説明】
【００８２】
【図１】本発明の第１の実施の形態の接続チェッカを示すブロック図。
【図２】本発明の第２の実施の形態の接続チェッカを示すブロック図。
【図３】〔図２〕の接続チェッカの動作を示す説明図。
【図４】本発明の第３の実施の形態の接続チェッカを示すブロック図。
【図５】本発明の第４の実施の形態の接続チェッカを示すブロック図。
【図６】〔図４〕の接続チェッカの動作を示す説明図。
【図７】本発明の第５の実施の形態の接続チェッカを示すブロック図。
【図８】本発明の第６の実施の形態の接続チェッカを示すブロック図。
【図９】従来の光ファイバテスタを示し、（ａ）はブロック図、（ｂ）及び（ｃ）は動作を示す説明図。
【図１０】従来の電気導通チェッカを示し、（ａ）はブロック図、（ｂ）は動作を示す説明図。
【図１１】従来のＯＴＤＲを示すブロック図。
【図１２】従来の光テスタを示すブロック図。
【図１３】従来のマルチケーブルチェッカを示すブロック図。
【符号の説明】
【００８３】
１，２  光・電気複合コネクタ
１ａ  光信号出力部
１ｂ  電気信号出力部
１ａ  光信号入力部
１ａ  電気信号入力部
３  発光素子
４，９  受光素子
５Ａ，５Ｂ  モニタ電流変換効率キャンセル回路
６  ＬＤドライバ
７Ａ，７Ｂ  Ａ／Ｄ変換回路
８  電気信号発生回路
１０  電気信号検知回路
１１  電源回路
１２  演算回路
１３  表示回路
１４Ａ  出力部
１４Ｂ  入力部
１５  光・電気複合ケーブル
１５ａ，１５ｂ  光・電気複合コネクタ
【図１】
2005326223.tif 000003
【図２】
2005326223.tif 000004
【図３】
2005326223.tif 000005
【図４】
2005326223.tif 000006
【図５】
2005326223.tif 000007
【図６】
2005326223.tif 000008
【図７】
2005326223.tif 000009
【図８】
2005326223.tif 000010
【図９】
2005326223.tif 000011
【図１０】
2005326223.tif 000012
【図１１】
2005326223.tif 000013
【図１２】
2005326223.tif 000014
【図１３】
2005326223.tif 000015